(57)【要約】【課題】  出力対象となる外部装置の機能に応じて出力する情報を特定し、不要な情報を出力しないようにする装置を提供する。【解決手段】  医療情報処理装置は、外部装置において実行可能な処理のうち少なくとも画像処理に関する情報を、外部装置から取得し、外部装置において実行可能な画像処理の情報に基づいて、医用画像と該医用画像に付帯する付帯情報とを出力する。【選択図】  図４
2017108853.tif 000002
【特許請求の範囲】
【請求項１】
外部装置において実行可能な画像処理に関する情報を、前記外部装置から取得する取得手段と、
前記取得手段により取得された、前記外部装置において実行可能な画像処理に関する情報に基づいて、医用画像と、前記医用画像に付帯する付帯情報とを出力する出力手段と、
を有することを特徴とする医療情報処理装置。
【請求項２】
前記出力手段は、前記取得手段により取得された前記外部装置において実行可能な画像処理に関する情報に基づいて、前記外部装置において実行可能な画像処理によって取得されない医用画像と、前記医用画像に付帯する付帯情報であって、前記外部装置において実行可能な画像処理に要する情報を含む付帯情報とを前記外部装置に出力することを特徴とする請求項１に記載の医療情報処理装置。
【請求項３】
前記出力手段は、被検体に対して複数の方向から撮像することにより取得される複数の投影画像から再構成画像を生成するための画像処理である再構成処理が外部装置において実行可能である場合には、前記複数の投影画像と、前記投影画像のそれぞれを取得するための撮像装置の位置情報を含む付帯情報とを、前記外部装置に出力することを特徴とする請求項１又は請求項２に記載の医療情報処理装置。
【請求項４】
前記出力手段は、外部装置において三次元画像における任意の断層画像を生成するための画像処理が実行可能である場合には、それぞれの投影画像を取得するための前記撮像装置の位置情報に基づいて、前記断層画像の生成可能な範囲を示す情報を含む付帯情報を前記外部装置に出力することを特徴とする請求項３に記載の医療情報処理装置。
【請求項５】
前記出力手段は、前記外部装置において被検体に対して複数の方向から撮像することにより取得される複数の投影画像から再構成画像を生成するための画像処理である再構成処理と、三次元画像における任意の断層画像を生成する画像処理のいずれも実行可能でない場合には、前記三次元画像を構成する複数の投影画像と、それぞれの投影画像を取得するための撮像装置の位置情報と前記断層画像の生成可能な範囲を示す情報とを含む付帯情報のいずれも前記外部装置に出力しないことを特徴とする請求項１乃至請求項４のいずれか一項に記載の医療情報処理装置。
【請求項６】
外部装置において実行可能な処理の情報を、外部装置から取得する取得手段と、
前記取得手段により取得された情報に基づいて、出力対象となる外部装置に対して出力する情報を前記外部装置に対して設定する設定手段と、
前記設定手段による設定に基づいて、外部装置に情報を出力する出力手段と、
を有することを特徴とする医療情報処理装置。
【請求項７】
前記設定手段は、少なくとも外部装置において実行可能な処理によって取得されない医用画像と、該医用画像に付帯する付帯情報であって、該外部装置において実行可能な処理に要する付帯情報とを該外部装置に対して出力するように設定することを特徴とする請求項６に記載の医療情報処理装置。
【請求項８】
前記出力手段により出力される情報を表示部に表示させ、ユーザに出力の要否を選択させるためのインタフェースを提供するインタフェース手段をさらに有し、
前記出力手段は、前記インタフェース手段により出力が必要と選択された情報を前記外部装置に出力し、前記インタフェース手段により出力が不要と選択された情報を外部装置に出力しないことを特徴とする請求項１乃至請求項７のいずれか一項に記載の医療情報処理装置。
【請求項９】
被検体に対して複数の方向から放射線を照射することにより得られる複数の投影画像に基づいてトモシンセシス画像を生成する生成手段をさらに有し、
前記生成手段は前記トモシンセシス画像のうち、前記取得手段により取得された前記外部装置において実行可能な画像処理により得られる医用画像を生成しないことを特徴とする請求項１乃至請求項８のいずれか一項に記載の医療情報処理装置。
【請求項１０】
外部装置において実行可能な画像処理に関する情報を、前記外部装置から取得する取得手段と、
前記取得手段により取得された、前記外部装置において実行可能な画像処理に関する情報に基づいて、医用画像と、前記医用画像に付帯する付帯情報とを出力する出力手段と、
を有することを特徴とする医療情報処理システム。
【請求項１１】
外部装置において実行可能な画像処理に関する情報を、前記外部装置から取得する取得ステップと、
前記取得ステップにおいて取得された、前記外部装置において実行可能な画像処理に関する情報に基づいて、医用画像と、前記医用画像に付帯する付帯情報とを出力する出力ステップと、
を有することを特徴とする医療情報処理方法。
【請求項１２】
請求項１１に記載の医療情報処理方法をコンピュータに実行させるためのプログラム。
【発明の詳細な説明】
【技術分野】
【０００１】
本発明は、医療情報処理装置、医療情報処理方法、医療情報処理システム、及びプログラムに関する。
【背景技術】
【０００２】
多様な医用画像が診療に活用され、医用画像を管理するための情報システムが構築されている。このような情報システム内でやりとりされる情報は増加傾向にある。特許文献１には、外部装置の種別ごとに三次元画像や二次元画像といった画像の種別のうち送信可能な種別を予め記憶しておき、画像の送信時には予め記憶された内容に基づいて、適切な種別の画像を送信することが開示されている。
【先行技術文献】
【特許文献】
【０００３】
【特許文献１】特開２０１５−１００５７９号公報
【発明の概要】
【発明が解決しようとする課題】
【０００４】
情報を出力する対象となる外部装置において、同じ種別の外部装置であっても、実行可能な処理は様々である。特許文献１に開示の技術のように、外部装置の種別に応じて送信する画像の種別を特定するだけでは、必ずしも必要ではない情報も含めて外部装置に出力してしまう場合がある。
【課題を解決するための手段】
【０００５】
本発明の実施形態にかかる医療情報処理装置は、外部装置において実行可能な処理のうち少なくとも画像処理に関する情報を、外部装置から取得する取得手段と、前記取得手段により取得された、外部装置において実行可能な画像処理の情報に基づいて、医用画像と該医用画像に付帯する付帯情報とを出力する出力手段と、を有することを特徴とする。
【発明の効果】
【０００６】
本発明によれば、医用画像の出力対象となる外部装置から、実行可能な画像処理についての情報を取得し、実行可能な画像処理の内容に応じて情報が出力される。これにより、出力対象となる外部装置において不要な情報を出力しないようにすることができ、医用画像を管理する情報システムへの負荷を低減することができる。
【図面の簡単な説明】
【０００７】
【図１】本発明の実施形態に係る医療情報処理装置を含む情報システムの構成の一例を示す図である。
【図２】本発明の実施形態に係る撮像装置の構成の一例を示す図である。
【図３】トモシンセシス撮影時に取得される位置情報の一例を示す図である。
【図４】本発明の実施形態に係る医療情報処理装置の機能構成の一例を示す図である。
【図５】本発明の実施形態に係る医療情報処理装置のハードウェア構成の一例を示す図である。
【図６】本発明の実施形態に係る医療情報処理装置により行われる処理の一例を示すフローチャートである。
【図７】本発明の実施形態に係る医療情報処理装置により表示される画面の一例を示す図である。
【図８】本発明の実施形態に係る医療情報処理装置により出力される情報の一例を示す図である。
【図９】本発明の実施形態に係る医療情報処理装置により出力される情報の一例を示す図である。
【図１０】本発明の実施形態に係る医療情報処理装置により取得される外部装置の機能情報の一例を示す図である。
【図１１】本発明の実施形態に係る医療情報処理装置が外部装置に情報を出力するための処理の一例を示すフローチャートである。
【図１２】本発明の実施形態に係る医療情報処理装置が外部装置の機能情報を取得するための処理の一例を示すフローチャートである。
【図１３】本発明の実施形態に係る医療情報処理装置が外部装置から取得する機能情報の一例を示す図である。
【発明を実施するための形態】
【０００８】
以下、図面を参照して本発明の実施形態を説明する。
【０００９】
医療現場では、様々な撮像装置により得られる画像や、各種の検査を活用して診療が行われている。撮像装置により取得された画像データを、ここでは医用画像と称する。画像データに対して、診断に好適な画像とするための画像処理等を施して得られる画像も医用画像に含まれる。撮像装置とは、たとえばコンピュータ断層撮像装置（ＣＴ：Ｃｏｍｐｕｔｅｄ  Ｔｏｍｏｇｒａｐｈｙ）、核磁気共鳴撮像装置（ＭＲＩ：Ｍａｇｎｅｔｉｃ  Ｒｅｓｏｎａｎｃｅ  Ｉｍａｇｉｎｇ）、２次元の放射線画像を撮像する放射線撮像装置（ＤＲ：Ｄｉｇｉｔａｌ  Ｒａｄｉｏｇｒａｐｈｙ）、である。
【００１０】
ＤＲ装置の一例として、Ｘ線を検出してデジタル画像を出力するＸ線検出器であるＦＰＤ（Ｆｌａｔ  Ｐａｎｅｌ  Ｄｅｔｅｃｔｏｒ）が用いられている。ＦＰＤを用いたＸ線撮影システムでは、静止画撮影に加えてマルチフレーム動画撮影が可能である。また、撮影により取得したマルチフレーム動画像に対して再構成処理を行うことで、断層画像を生成するトモシンセシス撮影も行われている。これらのＸ線検出器を用いたＸ線撮影システムにより収集された画像データは、ＰＡＣＳ等の外部装置にデジタルデータとして送信される。ユーザである医師や技師は、ＰＡＣＳ等の外部装置に送信された画像データを、外部装置に接続したＶｉｅｗｅｒを用いて観察する。
【００１１】
上述したトモシンセシス撮影の例では、撮影角度の異なる複数の投影画像や、複数の投影画像に基づいて再構成処理を行うことにより得られるトモシンセシス画像や、トモシンセシス撮影に係る付帯情報が、ＰＡＣＳ等の外部装置に出力される。したがって、従来よりも出力対象の情報の種類やサイズが増加する傾向にある。そのため、上述した撮像装置を制御するための医療情報処理装置や、医用画像を管理するＰＡＣＳ等を含む情報システムにかかる負荷を低減することが求められている。たとえば、当該情報システムにおいてやりとりされる情報の増加に伴うＰＡＣＳ等の記憶容量の不足や、ネットワークスループットの低下、各装置における処理速度の遅延を低減させることが求められている。
【００１２】
多様な医用画像が活用されるようになり、また撮像装置を制御するための医療情報処理装置から画像を出力する対象となる外部装置において実行可能な処理も様々である。外部装置において実行可能な処理により取得できない情報を出力することにより当該情報システムへの負荷を低減したい場合には、それぞれの外部装置において実行可能な処理の種類に応じて選択的に情報を出力することが好ましい。上述したトモシンセシス撮影の例では、投影画像、再構成されたトモシンセシス画像、トモシンセシス撮影に係る付帯情報のうち、外部装置において実行可能な処理に基づいて選択的に情報を出力できることが好ましい。
【００１３】
さらに、当該情報システムにおいては複数の外部装置が接続されている。したがって、ある一つの外部装置において実行可能な処理に加えて、当該外部装置に接続されている他の外部装置において実行可能な処理を考慮することが必要な場合がある。たとえば、ＰＡＣＳに出力された画像を、当該ＰＡＣＳに接続されたＶｉｅｗｅｒや画像処理装置が当該ＰＡＣＳから取得し、それぞれの装置において実行可能な処理に供する場合がある。
【００１４】
本発明はこのような状況に鑑みてなされたものであり、医療情報処理装置から外部装置に適切な情報を出力する技術を提供することを目的とする。
【００１５】
図１は、本発明の実施形態にかかる医療情報処理装置を含むＸ線撮影システムの構成の一例を示す図である。以下では、医用画像を取得するためのシステムとして、Ｘ線撮影システム１０１を例に説明する。Ｘ線撮影システム１０１は、Ｘ線により被検体を撮像して得られる医用画像を取得するためのシステムである。また、ここでは被検体にＸ線を照射することにより、Ｘ線検出部１０６で得られるデータを撮像データと称し、Ｘ線検出部１０６が撮像データを取得することを撮像と称する。Ｘ線検出部１０６で取得された撮像データから医用画像の画像データを取得することを撮影と称する。所望の医用画像の取得に際して、複数の撮像による撮像データを用いてもよい。被検体の医用画像を取得するための一連の処置を検査と称する。検査は複数の撮影を含みうる。
【００１６】
Ｘ線撮影システム１０１は、Ｘ線発生部１０２と、照射スイッチ１０３と、Ｘ線制御部１０４と、テーブル１０５と、Ｘ線検出部１０６と、移動機構１０６１と、カラム１０６２と、移動制御部１０６３と、制御装置１０７と、操作部１０８と、表示部１０９とを有する。本発明の実施形態にかかる医療情報処理装置は、図１に示す例においては制御装置１０７である。移動機構１０６１、カラム１０６２、移動制御部１０６３をまとめて保持装置とする。
【００１７】
また、Ｘ線撮影システム１０１はネットワーク１１３を介してＨＩＳ／ＲＩＳ１１４と、ＰＡＣＳ１１５と、Ｖｉｅｗｅｒ１１６と、プリンタ１１７と接続されている。図１に示される各部は、バスやその他の通信システムにより相互に接続されていればよく、それぞれを遠隔に設置することもできる。
【００１８】
Ｘ線発生部１０２は、たとえばＸ線管である。Ｘ線発生部１０２は、Ｘ線を照射する。Ｘ線発生部１０２は、Ｘ線の照射に伴い管電圧、管電流や、撮影角度、移動距離といった、被検体のＸ線画像の撮像を実施した際の撮像条件をＸ線制御部１０４へ送信する。また、Ｘ線発生部１０２はＸ線制御部１０４から撮像を開始する前に撮像条件を受信し、撮像準備を行う。
【００１９】
照射スイッチ１０３は、照射開始通知、照射終了通知をＸ線制御部１０４へ送信する。操作者がスイッチを押下すると、照射スイッチ１０３は照射開始通知を送信する。また、操作者がスイッチを放すと照射スイッチ１０３は照射終了通知を送信する。
【００２０】
Ｘ線制御部１０４は、操作者である技師が照射スイッチ１０３を押下すると、Ｘ線発生部１０２に高圧パルスを与え、Ｘ線発生部１０２から被検体が配置されている領域にＸ線を照射させる。Ｘ線制御部１０４は、撮像を実施した際の撮像条件をＸ線発生部１０２とＸ線検出部１０６から受信し、制御装置１０７に送信する。また、Ｘ線制御部１０４は制御装置１０７より撮像開始前に撮像条件を受信し、Ｘ線発生部１０２とＸ線検出部１０６に送信する。
【００２１】
テーブル１０５は、被検体を載せるための架台である。テーブルの天板の直下にはＸ線検出部１０６を天板に沿う方向に移動させるＸ線検出部の移動機構１０６１を有する。
【００２２】
Ｘ線検出部１０６は、たとえばＦＰＤである。被検体を透過もしくは周囲を通過したＸ線は、Ｘ線検出部１０６に入射する。Ｘ線検出部１０６の一例であるＦＰＤは、入射したＸ線を電気信号に変換した後、デジタル画像として制御装置１０７に送信する。たとえば、ＦＰＤは入射したＸ線を蛍光体（不図示）が可視光に変換し、可視光をフォトダイオード（不図示）が検出し、Ａ／Ｄ変換器（不図示）により電気信号に変換する。あるいはＦＰＤはＸ線をアモルファスセレン（不図示）により電気信号に変換する。放射線画像の画素値はＦＰＤを構成する放射線検出素子（不図示）からの出力により得られる。放射線検出素子（不図示）は、たとえば蛍光体（不図示）とフォトダイオード（不図示）で構成される。別の例では、アモルファスセレン（不図示）で構成される。
【００２３】
Ｘ線検出部１０６は、撮像を実施した際の撮像データの読み取りエリアやビニングサイズ、Ｘ線検出部移動距離といった撮像条件を制御装置１０７に送信する。また、Ｘ線検出部１０６は制御装置１０７から撮像を開始する前に撮像条件を受信し、撮像準備を行う。Ｘ線検出部１０６は、撮像データと当該撮像データの撮像時の撮像条件を、制御装置１０７と接続されたケーブルによる有線通信、あるいは無線通信により制御装置１０７に送信する。
【００２４】
Ｘ線撮影システム１０１は、トモシンセシス画像を取得することができる。トモシンセシス画像を取得するための撮像においては、Ｘ線発生部１０２は被検体の上部を、被検体の体軸方向に沿って弧を描くように移動する。また、Ｘ線検出部１０６はＸ線発生部１０２の移動方向とは反対方向に、被検体の体軸方向に沿って直線的に移動する。Ｘ線発生部１０２とＸ線検出部１０６を移動させつつ複数の方向からＸ線画像を撮像することにより、Ｘ線撮影システム１０１はトモシンセシス画像を取得することができる。
【００２５】
移動機構１０６１はＸ線検出部１０６を被検体の体軸方向に沿ってたとえば直線的に移動させることができる。カラム１０６２はＸ線発生部１０２を移動可能に支持する移動機構を備えており、Ｘ線発生部１０２を被検体の体軸方向に沿って弧を描くように移動させることができる。移動制御部１０６３はＸ線検出器の移動機構１０６１とカラム１０６２との移動を制御する。移動制御部１０６３は移動機構１０６１およびカラム１０６２を連動させて移動させることが可能である。なおここで、移動機構１０６１及びカラム１０６２を連動させ、Ｘ線発生部１０２を第一の方向に、Ｘ線検出部１０６を第一の方向とは逆の方向に向かって移動させることにより、複数方向からの投影画像を得るトモシンセシス撮影が実現される。また移動制御部１０６３はＸ線制御部１０４と接続しており、Ｘ線が照射されたタイミング情報を受け取り、当該タイミングにおけるＸ線発生部１０２およびＸ線検出部１０６の位置情報をＸ線制御部１０４に出力する。たとえばパルス状のＸ線を断続的に照射する場合には、当該パルス状のＸ線の照射開始、照射終了あるいは照射中のあるタイミングにおけるＸ線発生部１０２およびＸ線検出部１０６の位置情報を出力する。
【００２６】
制御装置１０７は、Ｘ線撮影システム１０１を統合的に制御する。制御装置１０７は、画像処理部１１０と、制御部１１１と、通信部１１２とを有する。
【００２７】
画像処理部１１０は、Ｘ線検出部１０６から受信した撮像データに対する画像処理を行う。画像処理とは、たとえば階調処理やノイズ低減処理である。また、画像処理部１１０は、Ｘ線検出部１０６から受信した撮像データと撮像条件に基づいて再構成処理を行い、再構成画像を取得する。
【００２８】
画像処理部１１０は、再構成画像から二次元断層画像を生成する。ここで生成される二次元断層画像は、たとえば検出面に沿う方向の断層画像（第一の二次元断層画像）がある。図１の撮影系の構成でいえば、被検体のコロナル画像に相当する。なおトモシンセシス撮影における照射角の制限にもよるが、第一の二次元断層画像については十分な画質の断層画像が得られる場合が多いため、よく用いられる。また画像処理部１１０は、検出面と交差する二次元断層画像（第二の二次元断層画像）を生成可能である。たとえば、被検体の体軸方向、つまりＸ線発生部１０２及びＸ線検出部１０６の移動方向に対して所定の傾きを有する断層画像であるいわゆるオブリーク（Ｏｂｌｉｑｕｅ）画像を生成することができる。すなわちオブリーク画像とは、再構成処理により得られた三次元画像における任意の断層画像である。さらに画像処理部１１０は、オブリーク画像に加えて、図１に示す撮影系における、矢状面断層画像や横断面断層画像を生成可能である。ここで、Ｘ線発生部１０２及びＸ線検出部１０６を被検体の体軸に沿って移動させるトモシンセシス撮影では、画質を考慮してオブリーク画像を生成し、矢状面断層画像や横断面断層画像の生成をしないようにしてもよい。また、Ｘ線発生部１０２及びＸ線検出部１０６をテーブル１０５の天板に沿って二次元的に移動させるトモシンセシス撮影では、矢状面断層画像や横断面断層画像を生成することとしてもよい。
【００２９】
また別の例では、画像処理部１１０は一連の投影画像からＸ線検出部１０６の検出面に沿う、望ましくは平行な二次元断層画像のセットを直接再構成し、これを再構成画像として扱ってもよい。この場合にはたとえば、オブリーク画像、矢状面断層画像、横断面断層画像のそれぞれを投影画像から直接再構成する処理が画像処理部１１０により実行される。以下では、投影画像に基づいて再構成した三次元画像であるボリュームデータすなわち再構成画像と、上述した二次元断層画像のいずれもトモシンセシス画像と称する。
【００３０】
制御部１１１は、検査実施に関わる制御を行う。検査実施に関わる制御とは、ＨＩＳ／ＲＩＳ１１４から入力された検査のオーダに基づいて、撮影条件を設定する。撮影条件には、Ｘ線発生部１０２及びＸ線検出部１０６を用いて撮像データを取得するための撮像条件と、撮像データから所望の画像データを取得するための画像処理条件を含む。画像処理条件には、再構成画像を取得するための再構成条件と、各種の二次元断層画像を取得するための条件を含む。
【００３１】
さらに、制御部１１１はＨＩＳ／ＲＩＳ１１４から入力された検査の実施順序や、それぞれの検査の実施状態を管理する。検査の実施状態とは、ある検査が開始される前の状態か、開始された状態か、完了した状態か、開始されたが完了せずに保留されている状態のいずれかである。制御部１１１は、通信部１１２を介して検査の実施状態をＨＩＳ／ＲＩＳ１１４に送信する。また、制御部１１１は通信部１１２を介して、保留状態にある検査や完了した検査の実施情報や画像データを、制御装置１０７の記憶部や制御装置１０７と接続する外部装置に保存し、読み出しを行う。
【００３２】
また制御部１１１は、取得した撮像データの撮像時の撮像条件に含まれる、Ｘ線発生部１０２とＸ線検出部１０６の位置情報に基づいて、トモシンセシス画像の有効フレームを算出する。制御部１１１はトモシンセシス画像の再構成パラメータ、画像処理パラメータを用いてトモシンセシス画像の保存可否を判定する。ここで示す再構成パラメータは、再構成方式、フィルタタイプ、フィルタＤＣ、カットオフ周波数、断層ピッチ、スライス枚数、ノイズ低減の少なくとも１つ以上を含む。
【００３３】
移動機構１０６１やカラム１０６２の移動機構の制限、あるいは投影画像の撮影間隔、Ｘ線発生部１０２の照射角あるいは照射方向の範囲の設定などの条件によって、所望のトモシンセシス画像が得られない場合がある。そこで制御部１１１は、通信部１１２から得られた位置情報のうち、Ｘ線発生部１０２の照射方向の情報を用いて、トモシンセシス画像の有効範囲を取得する。たとえば−３０度から＋１０度までの照射方向での投影画像が得られている場合には、Ｘ線検出部１０６の検出面あるいはテーブル１０５の天板との交差角が−３０度から＋１０度のオブリーク画像は診断に有効である可能性が高い。しかし、上述の範囲外のオブリーク画像は診断に有効でない可能性がある。そのため、この場合のオブリーク画像の有効範囲は、−３０度から＋１０度となる。
【００３４】
通信部１１２は、後述する通信回路５０６を介して、Ｘ線制御部１０４とＸ線検出部１０６に制御部１１１で生成された撮像条件を送信する。また、通信部１１２はＸ線制御部１０４とＸ線検出部１０６から撮像データ、撮像条件を受信し、制御部１１１に出力する。通信部１１２はネットワーク１１３を介して、ＨＩＳ／ＲＩＳ１１４と検査に関わる情報の送受信を行う。通信部１１２は画像処理部１１０で取得された画像データやトモシンセシス画像データをＰＡＣＳ１１５に送信する。さらに、通信部１１２はＰＡＣＳ１１５やＶｉｅｗｅｒ１１６といった外部装置において実行可能な処理の情報を受信する。
【００３５】
制御装置１０７は取得された放射線画像に、当該画像を取得した条件や患者情報等を付帯させる。たとえばＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）規格に則って情報を付帯させ、Ｘ線画像のデータ、患者情報、及び撮影条件等の情報を含むＤＩＣＯＭ画像ファイルを生成する。
【００３６】
操作部１０８は、操作者による操作を受け付ける入力用インタフェースである。入力用インタフェースは、たとえばキーボードやマウス、マルチタッチモニタである。
【００３７】
表示部１０９は、制御装置１０７からの表示制御により画面を表示する表示用インタフェースである。表示部１０９は、たとえば一又は複数のモニタや、マルチタッチモニタである。
【００３８】
ＨＩＳ（Ｈｏｓｐｉｔａｌ  Ｉｎｆｏｒｍａｔｉｏｎ  Ｓｙｓｔｅｍ）／ＲＩＳ（Ｒａｄｉｏｌｏｇｙ  Ｉｎｆｏｒｍａｔｉｏｎ  Ｓｙｓｔｅｍ）１１４は、患者情報や放射線撮影による検査等を含む診療情報を総合的に管理するシステムである。
【００３９】
ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）１１５は、各種の撮像装置で得られた画像を保持するデータベースシステムである。ＰＡＣＳ１１５は医用画像及びかかる医用画像の撮影条件や再構成を含む画像処理のパラメータや患者情報といった付帯情報を記憶する記憶部（不図示）と、当該記憶部に記憶される情報を管理するコントローラ（不図示）とを有する。トモシンセシス画像の付帯情報には、トモシンセシス画像の撮影におけるＸ線検出部１０６及びＸ線発生部１０２の位置情報が含まれる。また、投影画像からトモシンセシス画像を得た際の、再構成方式やフィルタ、断層ピッチ、断層枚数などの再構成パラメータが含まれる。以下では、トモシンセシス撮影における再構成パラメータの情報を、再構成情報と称する。
【００４０】
Ｖｉｅｗｅｒ１１６は、画像診断用の端末であり、ＰＡＣＳ１１５等に記憶された画像を読み出し、診断のために表示する。読影を行う医師は、Ｖｉｅｗｅｒ１１６を用いて画像診断レポートを作成することができる。
【００４１】
プリンタ１１７はたとえばフィルムプリンタであり、ＰＡＣＳ１１５等に記憶された画像をフィルムに出力する。
【００４２】
ここで、トモシンセシス撮影により得られた医用画像をＰＡＣＳ１１５に送信する場合について説明する。たとえば制御装置１０７は、複数の投影画像と、これらの投影画像から得られるトモシンセシス画像、位置情報、再構成情報を全てＰＡＣＳ１１５に送信する。ＰＡＣＳ１１５や、ＰＡＣＳ１１５と接続するＶｉｅｗｅｒ１１６が投影画像からトモシンセシス画像を生成する再構成処理を実行可能でない場合、これらの外部装置は再構成処理に必要な投影画像や位置情報を使用しない。この場合、投影画像や位置情報は外部装置における処理に利用されない情報である。外部装置において利用されない情報を出力することは、ネットワーク１１３のネットワークスループットの低下、ＰＡＣＳ１１５の記憶容量の不足、Ｖｉｅｗｅｒ１１６における処理速度の遅延といった不都合を生じさせるおそれがある。
【００４３】
一方で、ＰＡＣＳ１１５やＰＡＣＳ１１５と接続されたＶｉｅｗｅｒ１１６が、再構成処理を実行可能である場合、これらの外部装置は投影画像や位置情報に基づいて再構成処理を行い、トモシンセシス画像を取得することができる。この場合、外部装置における処理では投影画像や位置情報を要する。さらに、Ｘ線撮影システム１０１を利用するユーザの運用形態として、たとえば再構成処理は必ずＶｉｅｗｅｒ１１６において実施すると規定される場合がある。この場合、Ｖｉｅｗｅｒ１１６は投影画像と位置情報を得られればよく、制御装置１０７において生成されたトモシンセシス画像や再構成情報はＶｉｅｗｅｒ１１６における処理に利用されない。
【００４４】
このように、Ｘ線撮影システム１０１に接続される外部装置にいて実行可能な処理や、Ｘ線撮影システム１０１の運用形態によって、制御装置１０７からＰＡＣＳ１１５に出力すべき情報は様々である。そこで、制御部１１１はＸ線撮影システム１０１に接続される外部装置において実行可能な処理に応じて、ＰＡＣＳ１１５に情報を出力する。たとえば、ＰＡＣＳ１１５及びＶｉｅｗｅｒ１１６のいずれかが、投影画像に基づいてトモシンセシス画像を生成する再構成処理を実行可能である場合がある。この場合、制御装置１０７は、ネットワーク１１３を介して、投影画像と、該投影画像に付帯する付帯情報である位置情報とをＰＡＣＳ１１５に送信する。また、ＰＡＣＳ１１５とＶｉｅｗｅｒ１１６のいずれも、再構成処理を実行可能でない場合がある。この場合、制御装置１０７は、投影画像に基づいた再構成処理により得られるトモシンセシス画像と、当該トモシンセシス画像に付帯する付帯情報である再構成情報とをＰＡＣＳ１１５に送信する。すなわち制御装置１０７は、複数の投影画像から再構成画像を生成する再構成処理が外部装置に置いて実行可能である場合には、複数の投影画像と、それぞれの投影画像を取得するための装置の位置情報とを外部装置に出力する。
【００４５】
また別の例では、複数台のＶｉｅｗｅｒ１１６がＰＡＣＳ１１５に接続されている場合が挙げられる。ここでは、第一のＶｉｅｗｅｒ（不図示）と第二のＶｉｅｗｅｒ（不図示）とする。第一のＶｉｅｗｅｒは再構成処理を実行可能であり、第二のＶｉｅｗｅｒは再構成処理を実行可能でない。また、ＰＡＣＳ１１５は再構成処理を実行可能ではない。この場合、制御装置１０７は、投影画像と、位置情報と、トモシンセシス画像と、再構成情報とを、ＰＡＣＳ１１５に送信する。これにより、第一のＶｉｅｗｅｒと第二のＶｉｅｗｅｒのいずれにおいても、トモシンセシス撮影において得られる画像を取得可能となる。
【００４６】
さらに別の例では、ＰＡＣＳ１１５及びＶｉｅｗｅｒ１１６のいずれかが第一の二次元断層画像を生成するための第一の二次元断層画像生成処理を実行可能であり、オブリーク画像を生成するための第二の二次元断層画像生成処理を実行可能であるとする。制御装置１０７は、投影画像と、当該投影画像に付帯する付帯情報として位置情報と、オブリーク画像の有効角度（第二の二次元断層画像の有効範囲）とを、ＰＡＣＳ１１５に送信する。すなわち制御装置１０７は、外部装置において三次元画像における任意の断層画像を生成する処理が実行可能である場合には、それぞれの投影画像を取得するための装置の位置情報に基づいて、当該断層画像の生成可能な範囲を示す情報を出力する。
【００４７】
一方、ＰＡＣＳ１１５とＶｉｅｗｅｒ１１６のいずれも、第二の二次元断層画像生成処理を実行可能でない場合がある。この場合、制御装置１０７は、投影画像と、付帯情報として位置情報をＰＡＣＳ１１５に出力し、オブリーク画像の有効角度（第二の二次元断層画像の有効範囲）は、ＰＡＣＳ１１５に出力しない。
【００４８】
以上のような、外部装置に送信する対象となる情報を特定するための条件を、以下では出力条件と称する。制御装置１０７において、ユーザが、それぞれの外部装置に対応した出力条件を設定し、保持出来るようにしても良い。また、制御装置１０７において、ユーザが、外部装置において実行可能な処理の情報を設定し、出力条件として保持出来るようにしても良い。
【００４９】
以下では、制御装置１０７は通信部１１２を介してＰＡＣＳ１１５やＶｉｅｗｅｒ１１６といった外部装置から、当該外部装置において実行可能な処理の情報を取得することとする。特に、制御装置１０７は第一の二次元断層画像生成処理や第二の二次元断層画像生成処理といった画像処理に関して、実行可能な処理の情報を少なくとも外部装置から取得する。
【００５０】
図２は、トモシンセシス撮影に関わるＸ線撮影システム１０１の構成の一例を示す図である。Ｘ線発生部１０２は、傾倒可能であるカラム１０６２に固定される。投影画像の撮像時は、照射開始前にテーブル１０５とカラム１０６２が垂直になる位置を中心として、Ｘ線発生部１０２とＸ線検出部１０６がテーブル１０５と検出面に沿う方向（水平方向）にそれぞれ左右逆方向へ、予め設定された距離を移動する。この際、Ｘ線発生部１０２の照射範囲がＸ線検出部１０６の検出領域に包含されるように設定される。そして、照射開始と共にＸ線発生部１０２とＸ線検出部１０６がそれぞれ中心へ向かう方向へ移動しながら再構成処理に用いられる投影画像と、それぞれの撮像における位置情報が取得される。
【００５１】
制御装置１０７はＸ線制御部１０４に、Ｘ線発生部１０２の照射方向の範囲や照射間隔を送信する。Ｘ線制御部１０４は制御装置１０７からの情報に基づいてＸ線発生部１０２を制御する。本実施形態では、カラム１０６２によりＸ線発生部１０２は円弧を描きながら移動することとなるが、カラム１０６２が垂直となっている位置を０度位置とし、図面の左側から右側に向かう向きにθ方向がとられる。その上で、プラスマイナスθ度という設定情報が制御装置１０７あるいはＸ線制御部１０４から移動制御部１０６３に入力され、撮影前の初期位置がマイナスθ度となるよう、カラム１０６２はＸ線発生部１０２を移動させる。ここで、Ｘ線発生部１０２がカラム１０６２の直立方向（鉛直方向）に対してθ度の位置にあるとき、このθ度を照射角と呼称する。更にこの時のＸ線発生部１０２の焦点とＸ線検出部１０６の中心位置を結ぶ方向をＸ線の照射方向と呼称する。このＸ線の照射方向はトモシンセシス撮影のアイソセンタが固定であるという条件下で照射方向は鉛直方向に対してなす角度はθ度となる。そのため、以下の実施例では照射角と照射方向とを同様の意味で用いる。
【００５２】
図２では図面の左側から右側へとＸ線発生部１０２が移動する。かかる設定情報に応じて、移動機構１０６１によりＸ線検出部１０６が移動する。なお、照射方向の範囲はこの定義に限らず、たとえば上述の例で言う−９０度の位置を基準にすることとしてもよい。その他、角度以外のパラメータでＸ線発生部１０２の照射方向の範囲を設定することとしてもよい。たとえば図２のようにカラム１０６２が直立している状態からのカラム１０６２やＸ線発生部１０２の中心位置の変位距離を設定情報としても良い。設定情報はＸ線制御部１０４あるいは移動制御部１０６３により移動機構１０６１やカラム１０６２の制御値に変換され、これらのモータ等の駆動機構に出力され、駆動機構によりＸ線発生部１０２及びＸ線検出部１０６を移動させることとなる。
【００５３】
撮影間隔は、投影画像をどのような間隔で撮影するかを示すパラメータであり、たとえば照射角の間隔で定義される値である。あるいは、カラム１０６２が直立する位置に対してＸ線発生部１０２の水平方向への変位で撮影間隔を定義することもできる。この撮影間隔は等間隔である必要はなく、適宜決定される。たとえば、±３０度の照射角で撮影を行う場合に、撮影数を設定することで撮影間角が決定される。ステップアンドシュート方式でトモシンセシス撮影を行う場合には、移動制御部１０６３は照射角の間隔に対応する制御量だけ移動機構１０６１及びカラム１０６２を移動させる。さらに、移動機構１０６１及びカラム１０６２が停止したタイミングでＸ線制御部１０４がＸ線発生部１０２に対してＸ線の照射を指示する。Ｘ線照射が終わった後に、再び移動制御部１０６３は撮影間隔のパラメータで定義される制御量だけ移動機構１０６１及びカラム１０６２を移動させる。連続方式でトモシンセシス撮影を行う場合には移動中にＸ線が照射される。移動制御部１０６３は位置を継続的にモニタリングし、撮影間隔で定義されるＸ線照射位置（撮影位置）に到達するタイミングでＸ線制御部１０４によりＸ線照射が開始される。
【００５４】
図３は、投影画像の撮像時に取得される位置情報について説明するための図である。なお、Ｘ線発生部１０２の移動方法として、カラム１０６２が水平移動する方法と、カラム１０６２が土台２０２との接点部分で傾倒する方法のいずれでもかまわない。また、ここではテーブル１０５、Ｘ線検出部１０６、Ｘ線源２０１が固定されたカラム１０６２が直交する角度を０度と定義する。０度から対向方向に傾けていくにつれて、±１、±２、±３、といった具合に角度の絶対値が増加する。また、テーブル１０５と直交する位置にＸ線検出部１０６、Ｘ線源２０１、アイソセンタの位置が直列に並ぶ位置を移動距離０である中心位置として定義する。中心位置から対向方向に移動していくにつれて、±１、±２，±３、といった具合に移動距離の絶対値が増加する。アイソセンタは、再構成により作成されたトモシンセシス画像の複数フレームのうち、もっとも明瞭な画像が生成される断層位置となる。投影画像の撮影時は、常にＸ線源２０１の焦点位置とＸ線検出部１０６の検出領域中心位置を結ぶ直線上にアイソセンタが位置するよう、Ｘ線源２０１、Ｘ線検出部１０６、被検体を配置したテーブル１０５の各移動距離が制御される。
【００５５】
アイソセンタテーブルトップ間距離（以下、フルクラムと称する。）は、中心位置におけるアイソセンタからテーブル１０５最上部の距離である。１回の撮影毎に固有の値が使用される。フルクラムは、後述する撮影手技情報において、デフォルト撮影条件の１つとして設定される。また、ユーザは検査実施時に操作部１０８を介して操作入力を行い、一時的な設定変更あるいはデフォルト撮影条件の変更が可能である。Ｘ線制御部１０４は、制御装置１０７から受信したフルクラムを参照してＸ線発生部１０２の動作を制御する。その後、投影画像の照射終了時にＸ線制御部１０４は位置情報の１つとしてフルクラムを入力し、制御装置１０７へ送信する。フルクラムは、ＦＢＰ（Ｆｉｌｔｅｒｅｄ  Ｂａｃｋ  Ｐｒｏｊｅｃｔｉｏｎ）方式及びシフト加算方式による再構成処理に使用される。また、フルクラムはＸ線源被検体間距離の算出に使用される。
【００５６】
撮影角度は、中心位置を０度とした時のＸ線源２０１の傾きである。撮影手技情報に含まれるデフォルト撮影条件の１つとして、最大撮影角度が設定される。１回の撮影において、負方向への最大撮影角度から中心位置を通過して正方向への最大撮影角度まで連続して傾きが変更される。なお、傾きが変更される正負方向は逆であっても構わない。撮影角度は、投影画像における複数の連続するＸ線画像フレーム毎に画像データ読み込み時の撮影角度が取得される。そして、投影画像の照射終了時にＸ線制御部１０４は位置情報の１つとして撮影角度を入力し、制御装置１０７へ送信する。１回の画像データ読み込み毎に変更される撮影角度ピッチは、１回の撮影における角度の変更量を撮影予定フレーム数で割ることで決定される。撮影角度は、ＦＢＰ方式及びシフト加算方式による再構成処理に使用される。また、撮影角度は、再構成オブリーク断面表示時の角度指定制限に使用される。
【００５７】
Ｘ線源移動距離は、中心位置を基準としたテーブル１０５と並行方向に対するＸ線源２０１の移動距離である。Ｘ線源２０１は、Ｘ線検出部１０６と同期して、中心位置から左右方向に移動し、Ｘ線源２０１の焦点位置とＸ線検出部１０６の検出領域中心位置を結ぶ直線上にアイソセンタが位置するような角度に傾けることで設定に応じた撮影角度を満たす。そのため、Ｘ線源移動距離は、撮影角度の設定に同期して決定される。Ｘ線源移動距離は、投影画像における複数の連続するＸ線画像フレーム毎に画像データ読み込み時のＸ線源移動距離が取得される。そして、投影画像の照射終了時にＸ線制御部１０４は位置情報の１つとしてＸ線画像フレーム毎のＸ線源移動距離を入力し、制御装置１０７へ送信する。Ｘ線源移動距離は、ＦＢＰ方式及びシフト加算方式による再構成処理に使用される。
【００５８】
Ｘ線検出部移動距離は、中心位置を基準としたテーブル１０５と並行方向に対するＸ線検出部１０６の移動距離である。Ｘ線検出部１０６は、Ｘ線源２０１と同期して、中心位置からＸ線源２０１と逆の左右方向に移動し、Ｘ線源２０１の焦点位置とＸ線検出部１０６の検出領域中心位置を結ぶ直線上にアイソセンタが位置するように移動することで設定に応じた撮影角度を満たす。そのため、Ｘ線検出部移動距離もＸ線源移動距離と同様に、撮影角度の設定に同期して決定される。Ｘ線検出部移動距離は、投影画像における複数の連続するＸ線画像フレーム毎に画像データ読み込み時のＸ線検出部移動距離が取得される。そして、投影画像の照射終了時にＸ線制御部１０４は位置情報の１つとしてＸ線画像フレーム毎のＸ線検出部移動距離を入力し、制御装置１０７へ送信する。Ｘ線検出部移動距離は、ＦＢＰ方式及びシフト加算方式による再構成処理に使用される。
【００５９】
Ｘ線源Ｘ線検出部間距離は、中心位置におけるＸ線源２０１からＸ線検出部１０６最上部までの距離である。Ｘ線源Ｘ線検出部間距離は、撮影装置毎に固有の値が使用される。Ｘ線源Ｘ線検出部間距離は、Ｘ線源被検体間距離の算出に使用される。
【００６０】
テーブルトップＸ線検出部間距離は、中心位置におけるテーブル１０５最上部からＸ線検出部１０６最上部までの距離である。テーブルトップＸ線検出部間距離は、撮影装置毎に固有の値が使用される。テーブルトップＸ線検出部間距離は、Ｘ線源被検体間距離の算出に使用される。
【００６１】
Ｘ線源被検体間距離は、中心位置におけるＸ線源２０１からアイソセンタを基準とした被検体までの距離である。Ｘ線源被検体間距離は、撮影毎に設定されるフルクラムに依存して、１回の撮影毎に固有の値が使用される。より詳しくは、投影画像の照射終了時に制御装置１０７が受信する位置情報に含まれるＸ線源Ｘ線検出部間距離、フルクラム、テーブルトップＸ線検出部間距離を使用して撮影制御部４０５において以下の式にて算出される。
Ｘ線源被検体距離＝Ｘ線源Ｘ線検出部間距離−（フルクラム＋テーブルトップＸ線検出部間距離）
Ｘ線源被検体距離は、ＦＢＰ方式及びシフト加算方式等の方式による再構成処理に使用される。
【００６２】
図３に示すパラメータを、Ｘ線発生部１０２及びＸ線検出部１０６の位置情報とする。位置情報のうち、アイソセンタ位置やテーブルトップＸ線検出部間距離やフルクラムは撮影系あるいは１回の撮影で共通の値であるが、その他の位置情報は各投影画像の撮影毎に異なる。そのため、１回の撮影で共通する位置情報と、投影画像毎に異なる位置情報のセットとが、移動制御部１０６３を介してＸ線制御部１０４から制御装置１０７に出力される。位置情報は、投影画像からトモシンセシス画像を再構成する際に必要となる。そのため、制御装置１０７から、ＰＡＣＳ１１５に投影画像を出力する場合は、投影画像に付帯する付帯情報として位置情報が出力される。一方、制御装置１０７から、ＰＡＣＳ１１５に投影画像を出力しない場合は、位置情報も不要であるため、ＰＡＣＳ１１５に位置情報を送信しない。
【００６３】
図４は制御装置１０７の機能構成の一例を示す図である。制御部１１１は、手技保存部４０１、検査保存部４０２、出力条件保存部４０３、撮影条件設定部４０４、撮影制御部４０５、検査制御部４０６、出力条件設定部４０７、入力検出部４０８、表示制御部４０９、機能情報取得部４１０、機能情報設定部４１１、出力情報特定部４１２、出力制御部４１３を有する。制御装置１０７は外部装置４１４と接続されている。外部装置４１４とは、たとえばＰＡＣＳ１１５やＶｉｅｗｅｒ１１６である。
【００６４】
手技保存部４０１は、撮影手技情報の保存、更新、削除、検索を行う。ここで撮影手技情報とは、撮影条件、画像処理パラメータ、再構成パラメータ、ストレージ転送設定、プリント出力設定など撮影実施から後処理、画像出力設定まで撮影手技毎に設定可能な項目である。撮影条件には、被検体の撮影位置を示す情報、撮影範囲を示す情報、Ｘ線発生部１０２におけるＸ線照射の条件、Ｘ線検出部１０６の条件が含まれる。Ｘ線照射の条件とは、たとえばＸ線源の管電圧や管電流や照射時間である。Ｘ線検出部１０６の条件とは、たとえば読みだし範囲や、ビニング処理の条件や、動画撮影におけるフレームレートである。トモシンセシス撮影における撮影条件には、たとえば投影画像の撮影枚数、投影画像の撮影間隔、Ｘ線照射位置の範囲の情報（±θ）、第一の二次元断層画像の作成数、作成ピッチ、その他画像処理パラメータやＸ線検出部１０６の駆動パラメータがある。画像処理パラメータとは、たとえば階調処理の条件である。手技保存部４０１は、データベースで構成される。
【００６５】
検査保存部４０２は、検査情報の検査情報の登録、更新、削除、検索を行う。検査保存部４０２は、データベースで構成される。
【００６６】
出力条件保存部４０３は、制御部１１１から外部装置４１４に送信するトモシンセシス画像情報を特定するため出力条件の登録、更新、削除、検索を行う。出力条件保存部４０３は、データベースで構成される。
【００６７】
撮影条件設定部４０４は、たとえば操作部１０８からの操作入力に応じて撮影条件の設定を行う。手技保存部４０１に格納された撮影手技情報から撮影条件を抽出し、撮影パラメータとして撮影制御部４０５、画像処理部１１０、Ｘ線検出部１０６、Ｘ線発生部１０２、移動制御部１０６３等の各部に対して送信するための条件を設定する。
【００６８】
撮影制御部４０５は、通信部１１２を介して、Ｘ線発生部１０２、Ｘ線検出部１０６と撮影可否、撮影実施条件、位置情報のデータ送受信を行う。また、再構成処理実施に関わる制御、Ｘ線画像データの保存など１回のＸ線撮影フロー、再構成処理実施フロー全般の制御を行う。
【００６９】
検査制御部４０６は、検査の実施に係る一連の処理全般の制御を行う。検査の実施において、検査制御部４０６は患者情報、実施予定の検査情報を取得し、撮影手技情報の更新・登録制御を行う。また、検査の進行に応じて表示制御部４０９を介して表示部１０９の画面の遷移を制御する。トモシンセシス撮影においては、トモシンセシス画像データの保存、トモシンセシス画像の追加処理を行う。
【００７０】
出力条件設定部４０７は、たとえば操作部１０８からの操作入力に応じて、出力条件の登録、更新、削除、検索を出力条件保存部４０３に対して行う。
【００７１】
入力検出部４０８は、操作部１０８からの操作入力の受付および解釈を行う。
【００７２】
表示制御部４０９は検査制御部４０６から通知される画面遷移などの出力指示に対する表示部１０９への表示制御の全般を行う。たとえば投影画像やトモシンセシス画像の表示制御や、操作部１０８に対する操作入力に応じたＧＵＩ（Ｇｒａｐｈｉｃａｌ  Ｕｓｅｒ  Ｉｎｔｅｒｆａｃｅ）の表示を変更するための処理を行う。
【００７３】
機能情報取得部４１０は、外部装置４１４において実行可能な処理の情報を取得する。機能情報取得部４１０は、取得手段の一例である。たとえば、機能情報取得部４１０は、図１３に示すような処理のリストを外部装置４１４から取得する。図１３は外部装置４１４において実行可能な処理を示す情報の一例である。たとえば、実行可能な処理のそれぞれを一意に識別する機能ＩＤと、処理の項目の内容を示す項目名のリストを制御装置１０７は外部装置４１４のそれぞれから取得する。図１３によれば、たとえばトモシンセシス画像に係る機能は、機能ＩＤ００００００２、００００００２Ａ、００００００２Ｂ，００００００２ＡＢで示される再構成処理の機能や、機能ＩＤ００００００３で示される任意断面表示の機能が挙げられる。任意断面表示の機能により、たとえば、投影画像からコロナル画像や、オブリーク画像を再構成することができる。また、図１３の例ではたとえば機能ＩＤ００００００１、００００００２、００００００３、００００００４、００００００５といった機能は、外部装置において実行可能な画像処理の例である。機能情報取得部４１０はこのような外部装置において実行可能な画像処理に関する機能の情報を少なくとも取得する。機能情報として、処理の方式やアルゴリズムの違いを区別してもよい。たとえば、機能ＩＤ００００００２Ａと機能ＩＤ００００００２Ｂで示される機能は、それぞれ方式の異なるトモシンセシス再構成処理についての機能である。ここで取得した機能情報は、検査制御部４０６が出力条件保存部４０３に保存するものとする。
【００７４】
機能情報設定部４１１は、外部装置４１４において実行可能な処理をユーザの操作入力に基づいて設定する。ここで設定した機能情報は、検査制御部４０６が出力条件保存部４０３に保存するものとする。
【００７５】
出力情報特定部４１２は、出力条件保存部４０３に格納された出力条件や、機能情報取得部４１０および機能情報設定部４１１により取得または設定された機能情報に応じて、外部装置４１４に出力する情報を特定する。
【００７６】
出力制御部４１３は、出力情報特定部で特定された情報の出力可否を判定して、通信部１１２へ外部装置４１４に対する情報出力を指示する。出力情報特定部４１２及び出力制御部４１３は出力手段の一例である。
【００７７】
図５は、制御装置１０７のハードウェア構成の一例を示す図である。制御装置１０７は、ＣＰＵ５０１と、ＲＯＭ５０２と、ＲＡＭ５０３と、ＨＤＤ５０４と、ＵＳＢ５０５と、通信回路５０６と、ＧＰＵボード５０７と、ＨＤＭＩ（登録商標）５０８とを有する。これらは内部バスにより通信可能に接続されている。
【００７８】
ＣＰＵ（Ｃｅｎｔｒａｌ  Ｐｒｏｃｅｓｓｉｎｇ  Ｕｎｉｔ）２０１は制御装置１０７及びこれに接続する各部を統合的に制御する制御回路である。ＣＰＵ５０１はＲＯＭ５０２に格納されているプログラムを実行することにより制御を実施する。またＣＰＵ５０１は、表示部１０９を制御するためのソフトウェアであるディスプレイドライバを実行し、表示部１０９に対する表示制御を行う。さらにＣＰＵ５０１は、操作部１０８に対する入出力制御を行う。
【００７９】
ＲＯＭ（Ｒｅａｄ  Ｏｎｌｙ  Ｍｅｍｏｒｙ）５０２は、ＣＰＵによる制御の手順を記憶させたプログラムやデータを格納する。
【００８０】
ＲＡＭ（Ｒａｎｄｏｍ  Ａｃｃｅｓｓ  Ｍｅｍｏｒｙ）５０３は、制御装置１０７を及びこれに接続する各部における処理を実行するためのプログラムや、画像処理で用いる各種パラメータを記憶するためのメモリである。ＲＡＭ５０３は、ＣＰＵ５０１が実行する制御プログラムを格納し、ＣＰＵ５０１が各種制御を実行する際の様々なデータを一時的に格納する。
【００８１】
ＨＤＤ５０４は、Ｘ線画像データなど各種データを保存する補助記憶装置である。
【００８２】
ＵＳＢ（Ｕｎｉｖｅｒｓａｌ  Ｓｅｒｉａｌ  Ｂｕｓ）５０５は操作部１０８と接続している。
【００８３】
通信回路５０６はＸ線撮影システム１０１を構成する各部や、ネットワーク１１３に接続されている各部との通信を行うための回路である。通信回路５０６は、所望の通信形態にあわせて、複数の構成により実現されていてもよい。
【００８４】
ＧＰＵボード５０７は、ＧＰＵ、及びビデオメモリを含む汎用グラフィックスボードである。ＧＰＵボード５０７は、画像処理部１１０を構成し、主に断層画像の再構成処理、画像処理を行う。このような演算装置を使用するにより、専用ハードウェアを必要とせずに高速に再構成処理などの演算や画像表示を行うことが可能となる。
【００８５】
ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）５０８は、表示部１０９と接続している。ＧＰＵボード５０７はＨＤＭＩ５０８を介して表示部１０９を制御する。
【００８６】
図６は、制御装置１０７の制御により行われるトモシンセシス撮影における処理の一例を示すフローチャートである。
【００８７】
ステップＳ６０１において、検査開始に先立って患者情報が作成される。ここで示す患者情報は、患者名、患者ＩＤ、年齢、生年月日、性別、慎重、体重、妊娠状態など患者を特定するための情報をすべて含む。検査制御部４０６は、ＨＩＳ／ＲＩＳ１１４からの入力に基づいて患者情報を取得する。あるいは、検査制御部４０６は表示制御部４０９を介して表示部１０９に患者情報入力画面を表示させる。ユーザが操作部１０８を介して行う入力が入力検出部４０８を介して検査制御部４０６に入力される。このユーザの操作入力に基づいて、患者情報を取得する。
【００８８】
ステップＳ６０２において、検査情報作成が行われる。ここで示す検査情報には、ステップＳ６０１で取得される患者情報、検査ＩＤや検査日時など検査を特定するための全てを含む検査情報、撮影部位など撮影手技を特定する全ての情報を含む撮影手技情報が含まれる。検査制御部４０６は、ＨＩＳ／ＲＩＳ１１４からの入力に基づいて検査情報を取得する。あるいは、検査制御部４０６は手技保存部４０１に保存されている撮影手技の情報を取得し、表示制御部４０９を介して表示部１０９に撮影手技をユーザに選択させるための画面を表示させてもよい。検査制御部４０６はユーザの入力に基づいて、撮影手技情報を含む検査情報を取得する。検査開始がユーザの操作入力により指示されると、ステップＳ６０３に進む。
【００８９】
ステップＳ６０３において、検査開始処理が実施される。検査保存部４０２は、ステップＳ６０３により開始が指示された検査情報の検査ステータスを「実施中」に更新する。検査ステータスには、「未開始」、「実施中」、「保留中」、「終了」が含まれる。表示制御部４０９は検査情報に含まれている患者情報、検査情報、撮影手技情報を表示部１０９に表示させる。
【００９０】
ステップＳ６０４において、開始した検査情報に含まれる撮影手技情報の中から、次に撮影を実施する撮影手技が選択される。撮影手技の選択は、表示制御部４０９により表示部１０９に表示される撮影手技ボタンを押下することで選択される。撮影制御部４０５は、選択された撮影手技に対応する撮影条件および位置情報をＸ線制御部１０４及び移動制御部１０６３に送信する。Ｘ線制御部１０４は、撮影条件に基づいてＸ線発生部１０２とＸ線検出部１０６の条件設定を行う。また、移動制御部１０６３は位置情報に基づいて、Ｘ線発生部１０２とＸ線検出部１０６とを初期位置に移動させる。表示制御部４０９は、表示部１０９にＸ線発生部１０２及びＸ線検出部１０６の準備状態を示す情報を表示させる。条件設定や初期位置への移動が完了する前と、完了後とで表示を切り替え、撮影を行うユーザに準備状態を報知する。これにより、ユーザはＸ線を照射可能な状態であるか否かを判別することができる。
【００９１】
ステップＳ６０５において、被検体の配置が行われる。被検体の配置は、制御装置１０７の操作者あるいは検査実施に関わる担当者が実施する。ステップＳ６０５は、ステップＳ６０１からＳ６０４と前後しても構わない。
【００９２】
ステップＳ６０６において、再構成の中心位置が設定される。主に、操作者あるいは検査実施に関わる担当者が被検体の関心領域を元に中心位置（以下、アイソセンタ位置）を計測し、操作部１０８よりアイソセンタ位置が入力される。撮影制御部４０５は、入力されたアイソセンタ位置を、選択中の撮影手技情報に登録する。
【００９３】
ステップＳ６０７において、被検体の位置合わせが行われる。特にトモシンセシス撮影では、被検体に対するＸ線の照射方向によって、アーチファクトの影響が大きく関わるため、患者の配置を確認するために透視を行い、被検体の配置位置が正しいか確認する。照射スイッチ１０３が押下されると、照射スイッチ１０３はＸ線制御部１０４を介してＸ線発生部１０２から被検体にＸ線が照射される。照射が開始されると、実施中の撮影手技のステータスが「撮影中」に更新される。Ｘ線検出部１０６は照射されたＸ線を検出し、Ｘ線画像データへ変換する。また、Ｘ線検出部１０６はＸ線検出と同期して位置情報を取得する。Ｘ線検出部１０６は通信部１１２を介して、Ｘ線画像データ及び位置情報を撮影制御部４０５へ送信する。撮影制御部４０５は、Ｘ線画像データ及び位置情報を受信すると、位置情報を実施中の撮影手技へ登録する。また、撮影制御部４０５は、検査制御部４０６へＸ線画像データを送信する。検査制御部４０６は、Ｘ線画像データを受信すると、表示制御部４０９へＸ線画像データを送信する。表示制御部４０９は、Ｘ線画像データを受信すると、表示部１０９にライブ表示させる。その後、照射スイッチ１０３が放されると、Ｘ線制御部１０４を介してＸ線発生部１０２のＸ線照射が停止される。検査制御部４０６は、照射が終了すると、撮影手技のステータスを「撮影完了」に更新する。なおトモシンセシス撮影を行う際に、透視による位置合わせは省略されることがある。その場合には、ステップＳ６０７は省略される。
【００９４】
ステップＳ６０８において、投影画像の撮影が行われる。投影画像撮影時の処理の流れはステップＳ６０７における透視の場合とほぼ同様である。ただし、投影画像の撮影において、撮影制御部４０５は、Ｘ線画像データ及び位置情報を受信すると、位置情報を選択中の撮影手技へ登録し、Ｘ線画像データの保存を行う。
【００９５】
ステップＳ６０９において、再構成処理が行われる。画像処理部１１０は、ステップＳ６０８において取得された投影画像のＸ線画像データ及び位置情報、撮影手技情報に基づいて再構成処理を行う。表示制御部４０９は表示部１０９に図７に例示する再構成画面７０１を表示させ、再構成画面７０１上にプログレスバーを表示する。再構成処理が完了すると、表示制御部４０９は表示部１０９を撮影画面へ遷移させる。同時に、表示部１０９はトモシンセシス画像のサムネイル画像をプレビュー表示する。
【００９６】
ステップＳ６１０において、トモシンセシス画像への後処理が行われる。トモシンセシス画像への後処理には、切り出し領域の編集、トモシンセシス画像の並列表示（マルチビュー）、再撮影処理、写損処理が含まれる。予定されていた全ての撮影手技の実施が完了し、トモシンセシス画像への後処理が完了すると、ユーザの操作入力により検査終了が指示される。
【００９７】
ステップＳ６１１において、検査終了処理が実施される。検査保存部４０２は完了した検査の検査情報のステータスを「終了」に更新する。表示制御部４０９は、表示部１０９の表示を患者情報入力画面に遷移させる。なお、操作部１０８が検査保留を受け付けた場合も、検査終了と同様の流れとなる。ただし、検査保存部４０２は当該検査情報の検査ステータスを「保留中」に更新する。
【００９８】
ステップＳ６１２において、外部装置に出力する情報を特定する処理が行われる。出力情報特定部４１２は、ステップＳ６１１までに取得された情報を出力する対象となる外部装置について、登録済みの出力条件を出力条件保存部４０３から取得する。出力情報特定部４１２は、送信先の外部装置４１４の機能情報から作成された出力条件に基づいて、トモシンセシス撮影により得られた医用画像と付帯情報のうち、出力対象となる情報を特定する。ステップＳ６１２の処理について、後に詳述する。
【００９９】
ステップＳ６１３において、画像出力が実施される。出力制御部４１３は、ステップＳ６１２で特定された情報を外部装置に出力する。以上により、図６に示す処理を終了する。
【０１００】
図７は、図６に示すステップＳ６０９で表示部１０９に表示される再構成画面７０１の一例を示す図である。再構成画面７０１は、画像表示部７０２、スライダー７０３、ツールバー７０４、冠状面表示部７０５、オブリーク表示部７０６、フレームビュー指示部７０７、再構成方式選択部７０８、フィルタ選択部７０９、フィルタＤＣ編集部７１０、カットオフ周波数編集部７１１、断層ピッチ編集部７１２、スライス枚数編集部７１３、ノイズ低減部７１４、再構成処理指示部７１５、デフォルト設定部７１６、再生範囲設定部７１７、Ｗｉｎｄｏｗ調整部７１８、再生処理部７１９、キャンセル指示部７２０、確定指示部７２１、３Ｄスライダー７２２より構成される。
【０１０１】
画像表示部７０２は、再構成処理後のトモシンセシス画像をプレビュー表示する。また、再構成処理実施中は、ユーザに再構成処理中であることを報知するプログレスバーが表示され、再構成処理完了と同時にトモシンセシス画像が表示される。
【０１０２】
スライダー７０３は、プレビュー表示中のトモシンセシス画像における表示中のフレーム画像の確認、フレーム画像の切り替えを行う。トモシンセシス画像のプレビュー表示と同時にスライダー横の上端から下端までに、プレビュー表示中トモシンセシス画像の全有効フレーム分のメモリが均等に表示される。ここで、有効フレーム分のみ指定可能に制御することにより、誤って無効フレームを表示してしまう可能性を低減できる。スライダー７０３上を選択あるいはドラッグすることで選択されたメモリに対応した番号のフレームが画像表示部７０２に表示される。
【０１０３】
ツールバー７０４は、プレビュー表示中のトモシンセシス画像に対する処理を指示するコントロールが配置される。
【０１０４】
冠状面表示部７０５は、画像表示部７０２に表示するトモシンセシス画像を冠状面で表示するよう指示するボタンであり、第一の二次元断層画像の表示を指示するためのボタンに該当する。当該ボタンは、図７の再構成画面７０１が表示された初期状態で選択可能状態とされ、かつ、オン状態（選択状態）とされている。
【０１０５】
オブリーク表示部７０６は、画像表示部７０２に表示するトモシンセシス画像をオブリーク断面で表示するよう指示するボタンであり、第二の二次元断層画像の表示を指示するためのボタンに該当する。
【０１０６】
フレームビュー指示部７０７は、画像表示部７０２を格子状の複数表示領域に区切り、プレビュー表示中のトモシンセシス画像のフレーム画像群を並列表示するフレームビューへ切り替えるボタンである。オブリーク断面表示中は、無効となりフレームビュー表示不可能となる。
【０１０７】
再構成方式選択部７０８は、ＦＢＰ（Ｆｉｌｔｅｒｅｄ  Ｂａｃｋ  Ｐｒｏｊｅｃｔｉｏｎ）法やシフト加算法、逐次近似再構成法といった再構成方式を選択するコントロールである。
【０１０８】
フィルタ選択部７０９は、再構成処理を行う際に使用するフィルタタイプを選択するコントロールである。
【０１０９】
フィルタＤＣ編集部７１０は、再構成処理を行う際に使用するフィルタのＤＣパラメータを編集するコントロールである。
【０１１０】
カットオフ周波数編集部７１１は、再構成処理を行う際に使用するフィルタのカットオフ周波数を編集するコントロールである。
【０１１１】
断層ピッチ編集部７１２は、再構成処理を行う際のフレーム間の厚みを編集するコントロールである。
【０１１２】
スライス枚数編集部７１３は、再構成処理を行う際の総フレーム数を編集するコントロールである。
【０１１３】
ノイズ低減部７１４は、再構成処理を行う際にノイズ低減処理を適用するか否かを切り替えるコントロール、及び適用する際の影響度を編集するコントロールである。
【０１１４】
再構成処理指示部７１５は、再構成処理の実施を指示するボタンである。ボタンが押下された時点で入力されている再構成パラメータを使用して再度再構成が実施される。この時、プレビュー表示中のトモシンセシス画像と同じ投影画像が用いられる。
【０１１５】
デフォルト設定部７１６は、プレビュー表示中のトモシンセシス撮影手技のデフォルト再構成パラメータの変更を指示するボタンである。ボタンが押下されると、撮影制御部４０５から表示中の再構成パラメータと共に再構成パラメータ変更通知が検査制御部４０６へ送信される。検査制御部４０６は、再構成パラメータ対象のトモシンセシス撮影手技の再構成パラメータを更新し、手技保存部４０１へ「登録・更新」の処理依頼を送信する。
【０１１６】
再生範囲設定部７１７は、範囲指定往復再生時の再生範囲を指定するコントロールである。最小フレーム番号、中心フレーム番号、最大フレーム番号を指定するつまみで構成される。それぞれのつまみを移動することで、指定した最小フレーム番号から最大フレーム番号までの範囲が再生範囲として設定される。
【０１１７】
Ｗｉｎｄｏｗ調整部７１８は、Ｗｉｎｄｏｗ調整用コントロールの表示・非表示を切り替えるボタンである。Ｗｉｎｄｏｗ調整部７１８をＯＮに切り替えると、３Ｄスライダー７２２表示領域にＷｉｎｄｏｗ調整部７１８が表示される。実施形態に係る画像処理部１１０は、トモシンセシス画像の解析処理を行い、トモシンセシス画像から生成されるコロナル画像やオブリーク画像等のスライス画像をウィンドウ処理等の階調処理を施す。表示制御部４０９は、当該ウィンドウ処理がされたスライス画像を再構成画面７０１の画像表示部７０２に表示させる。Ｗｉｎｄｏｗ調整部７１８をＯＦＦに切り替えると、Ｗｉｎｄｏｗ調整部７１８が非表示となり、３Ｄスライダー７２２が表示される。
【０１１８】
再生処理部７１９は、再生処理用コントロールの表示・非表示を切り替えるボタンである。再生処理部７１９をＯＮに切り替えると、３Ｄスライダー７２２表示領域に再生処理部７１９が表示される。再生処理部７１９をＯＦＦに切り替えると、再生処理部７１９が非表示となり、３Ｄスライダー７２２が表示される。
【０１１９】
キャンセル指示部７２０は、プレビュー中のトモシンセシス画像の破棄を指示するボタンである。再構成キャンセルが指示された場合、トモシンセシス画像及び画像情報を保存せずに、ステップＳ６０９が完了し、撮影画面へ遷移する。撮影画面では、再構成画面表示前にプレビューされている画像が継続してプレビュー選択される。
【０１２０】
確定指示部７２１は、プレビュー中のトモシンセシス画像の保存確定を指示するボタンである。保存確定が指示された場合、プレビュー中のトモシンセシス画像をＨＤＤ５０４に保存する。その後、ステップＳ６０８が完了し、撮影画面へ遷移する。
【０１２１】
３Ｄスライダー７２２は、生成したトモシンセシス画像のフレームを擬似的に３Ｄ表示し、表示フレームの指定を行うコントロールである。３Ｄスライダー７２２上に、各トモシンセシス画像のフレームの位置関係を相対的に示した罫線が表示され、表示フレーム画像と同じフレーム番号の位置に縮小画像が表示される。３Ｄスライダー７２２上の罫線を選択する、あるいはマウスでドラッグすることで表示フレームを容易に切り替えることができる。ここで、３Ｄスライダー７２２上に表示される罫線は、トモシンセシス画像の有効フレーム分のみが表示される。また、断層ピッチやスライス枚数の編集に連動して、再構成処理後の各トモシンセシス画像のフレームの位置関係を現在の状態に重ねてプレビュー表示する。これにより、操作者が断層ピッチやスライス枚数を変更した際の厚みの変化を容易に把握することが可能となる。以上の構成となる再構成画面７０１が表示される。
【０１２２】
［出力条件］
図８は、出力条件保存部４０３に格納される出力条件の一例を示す。図８で例示する出力条件は、図６におけるステップＳ６１２にて参照される。ここでは、トモシンセシス撮影により得られる情報の出力に関する出力条件を例示する。
【０１２３】
トモシンセシス撮影により得られる情報の出力に関する出力条件は、外部装置情報と、トモシンセシス画像情報の出力要否の項目を有する。トモシンセシス画像情報の出力要否は、画像出力の要否と、付帯情報の要否の項目から構成される。画像出力の要否は、投影画像、コロナル画像、オブリーク画像の項目から成り、付帯情報の出力要否は、撮影情報、オブリーク画像の有効範囲、再構成情報から成る。
【０１２４】
外部装置情報は、制御装置１０７からトモシンセシス画像情報を送信する送信先の外部装置を識別するための情報を格納するフィールドである。たとえば、ＩＰアドレスやホスト名などのネットワーク上の機器を識別するために指定する識別情報が該当する。
【０１２５】
画像出力の要否は、外部装置情報フィールドに格納された外部装置に対して、送信する必要がある画像種別を示す情報を格納するフィールドである。
【０１２６】
付帯情報の出力要否は、外部装置情報フィールドに格納された外部装置に対して、送信する必要がある付帯情報を示す情報を格納するフィールドである。撮影情報は、たとえば、Ｘ線検出部１０６及びＸ線発生部１０２の位置情報が該当する。オブリーク画像の有効範囲は、たとえば、オブリーク画像の有効角度が該当する。再構成情報は、たとえば、再構成方式やフィルタ、断層ピッチ、断層枚数などの再構成パラメータが該当する。
【０１２７】
図８では、「ＰＡＣＳ１」に対しては、投影画像を送信する必要があり、コロナル画像とオブリーク画像を送信する必要がない例を示している。また、「ＰＡＣＳ１」に対しては、位置情報などの撮影情報とオブリーク画像の有効角度を送信する必要があり、再構成パラメータなどの再構成情報を送信する必要がない例を示している。これは、「ＰＡＣＳ１」に、コロナル画像生成機能とオブリーク画像生成機能を備える「Ｖｉｅｗｅｒ１（不図示）」が接続されている場合の例である。すなわち、この場合は、制御装置１０７から「ＰＡＣＳ１」に送信する画像情報は、投影画像と、投影画像からトモシンセシス画像を生成するために使用される撮影情報と、オブリーク画像を生成するために使用されるオブリーク有効角度だけでよい。「Ｖｉｅｗｅｒ１（不図示）」は、「ＰＡＣＳ１」から投影画像および撮影情報およびオブリーク有効角度を取得し、投影画像と撮影情報とオブリーク画像有効角度に基づいて、コロナル画像やオブリーク画像を生成することができる。
【０１２８】
また、図８では、「ＰＡＣＳ２」に対して、投影画像とオブリーク画像を送信する必要があり、コロナル画像を送信する必要がない例を示している。また、「ＰＡＣＳ２」に対しては、位置情報などの撮影情報を送信する必要があり、オブリーク有効角度と再構成パラメータなどの再構成情報を送信する必要がないことを示している。これは、「ＰＡＣＳ２」に、コロナル画像生成機能を備える「Ｖｉｅｗｅｒ２（不図示）」が接続されている場合の例である。すなわち、この場合は、制御装置１０７から「ＰＡＣＳ２」に送信する画像情報は、投影画像とオブリーク画像と、投影画像からトモシンセシス画像を生成するために使用される撮影情報だけでよい。「Ｖｉｅｗｅｒ２（不図示）」は、「ＰＡＣＳ２」から投影画像とオブリーク画像と投影画像からトモシンセシス画像を生成するために使用される撮影情報を取得し、投影画像と撮影情報に基づいて、コロナル画像を生成することができる。
【０１２９】
さらに、図８では、「ＰＡＣＳ３」に対して、コロナル画像とオブリーク画像を送信する必要があり、投影画像を送信する必要がない例を示している。また、「ＰＡＣＳ３」に対しては、再構成パラメータなどの再構成情報を送信する必要があり、位置情報などの撮影情報とオブリーク画像の有効角度を送信する必要がないことを示している。これは、「ＰＡＣＳ３」に、コロナル画像生成機能やオブリーク画像生成機能を備えていない「Ｖｉｅｗｅｒ３（不図示）」が接続されている場合の例である。すなわち、この場合は、制御装置１０７から「ＰＡＣＳ３」に送信する画像情報は、コロナル画像とオブリーク画像と再構成パラメータなどの再構成情報だけで良い。「Ｖｉｅｗｅｒ３（不図示）」は、「ＰＡＣＳ３」から再構成済みのコロナル画像とオブリーク画像を取得することができ、「Ｖｉｅｗｅｒ３（不図示）」において投影画像に基づく再構成処理は行われない。
【０１３０】
このように、制御装置１０７は出力対象となる外部装置において実行可能な画像処理の情報に基づいて、当該外部装置において実行可能な画像処理によって取得されない医用画像を出力する。また制御装置１０７は、当該外部装置において実行可能な画像処理に用いられる情報を付帯情報として出力する。
【０１３１】
図９は、出力条件保存部４０３に保存される出力条件の別の例である。図９は、外部装置の機能情報に応じて定められる出力情報の組合せである。図９で例示する出力条件は、図６におけるステップＳ６１２にて参照される。ここでは、トモシンセシス撮影により得られる情報の出力に関する出力条件を例示する。
【０１３２】
トモシンセシス撮影により得られる情報の出力に関する出力条件は、外部装置の再構成機能情報と、トモシンセシス画像情報の出力要否の項目を有する。外部装置の再構成機能情報は、コロナル画像生成機能とオブリーク画像生成機能の項目から成る。トモシンセシス画像情報の出力要否の構成項目は、上述の図８の例と同様である。
【０１３３】
外部装置の再構成機能情報は、外部装置４１４が備える再構成機能の有無の条件を格納するフィールドである。
【０１３４】
トモシンセシス画像情報の出力要否は、外部装置の再構成機能情報フィールドに格納された条件に応じて、送信する必要がある画像情報を格納するフィールドである。
【０１３５】
たとえば、コロナル画像生成機能とオブリーク画像生成機能を備える「Ｖｉｅｗｅｒ１（不図示）」が「ＰＡＣＳ１」に接続されている場合がある。図９に示す例では、コロナル画像生成機能「有」、オブリーク画像生成機能「有」の条件に合致し、「ＰＡＣＳ１」に対しては、上述の図８と同様の動作を行う。
【０１３６】
また、コロナル画像生成機能を備え、オブリーク画像生成機能を備えていない「Ｖｉｅｗｅｒ２（不図示）」が「ＰＡＣＳ２」に接続されている場合がある。図９に示す例では、コロナル画像生成機能「有」、オブリーク画像生成機能「無」の条件に合致し、「ＰＡＣＳ２」に対しては、上述した図８と同様の動作を行う。
【０１３７】
さらに、コロナル画像生成機能もオブリーク画像生成機能も備えていない「Ｖｉｅｗｅｒ３（不図示）」が「ＰＡＣＳ３」に接続されている場合がある。図９に示す例では、コロナル画像生成機能「無」、オブリーク画像生成機能「無」の条件に合致し、「ＰＡＣＳ３」に対しては、上述の図８と同様の動作を行う。
【０１３８】
なお、図８及び図９において、コロナル画像フィールドと、オブリーク画像フィールドで「否（設定可能）」とした項目については、Ｖｉｅｗｅｒ１１６などの外部装置において、コロナル画像生成機能やオブリーク画像生成機能を備えている場合がある。この場合、制御装置１０７で生成したコロナル画像やオブリーク画像を必ずしも生成する必要はないため、デフォルトの設定では送信しないが、設定によって送信するように変更しても良いことを示している。たとえば、Ｖｉｅｗｅｒ１１６はコロナル画像生成機能やオブリーク画像生成機能を備えている。Ｖｉｅｗｅｒ１１６において、制御装置１０７で生成したコロナル画像やオブリーク画像をＰＡＣＳ１１５から取得して使用する運用形態である場合、本フィールドを「要」に設定しても良い。
【０１３９】
また、再構成情報フィールドで「否（設定可能）」とした項目については、Ｖｉｅｗｅｒ１１６などの外部装置において、コロナル画像生成機能やオブリーク画像生成機能を備え、Ｖｉｅｗｅｒ１１６において、投影画像に基づいて再応性処理を行う場合がある。この場合、制御装置１０７で再構成処理を行った際の再構成情報を必ずしも参照する必要はない。そのため、この場合は、デフォルトの設定では再構成情報を送信しないが、設定によって送信するように変更しても良いことを示している。たとえば、Ｖｉｅｗｅｒ１１６はコロナル画像生成機能やオブリーク画像生成機能を備えている。Ｖｉｅｗｅｒ１１６において、制御装置１０７で生成したコロナル画像やオブリーク画像をＰＡＣＳ１１５から取得し、制御装置１０７で再構成を行った際の再構成情報と共に使用する運用形態である場合、本フィールドを「要」に設定しても良い。
【０１４０】
図１０は、出力条件保存部４０３に保存される外部装置の機能情報の例である。図１０で例示する機能情報は、外部装置から図１３に例示するようなリストを機能情報取得部４１０が取得することにより得られる。ここでは、トモシンセシス撮影により得られる情報の利用に関する機能情報を例示する。
【０１４１】
トモシンセシス撮影により得られる情報の利用に関する機能情報は、外部装置情報と、外部装置の再構成機能情報の項目を有する。外部装置情報は、上述の図８の例と同様である。外部装置の再構成機能情報は、上述の図９の例と同様である。
【０１４２】
図１０では、たとえば、「ＰＡＣＳ１」には、コロナル画像生成機能とオブリーク画像生成機能を備える「Ｖｉｅｗｅｒ１（不図示）」が接続されていることを示す。そのため、出力情報特定部４１２は、図６におけるステップＳ６１２にて、制御装置１０７から「ＰＡＣＳ１」に出力する画像情報を特定する場合は、図１０の「ＰＡＣＳ１」の行を参照する。そして、出力情報特定部４１２は、図１０の内容に基づき、図９のコロナル画像生成機能「有」、オブリーク画像生成機能「有」の行を参照する。
【０１４３】
また、図１０では、たとえば、「ＰＡＣＳ２」には、コロナル画像生成機能を備え、オブリーク画像生成機能を備えていない「Ｖｉｅｗｅｒ２（不図示）」が接続されていることを示す。そのため、出力情報特定部４１２は、図６におけるステップＳ６１２にて、制御装置１０７から「ＰＡＣＳ２」に出力する画像情報を特定する場合は、図１０の「ＰＡＣＳ２」の行を参照する。そして、図１０の内容に基づき、図９のコロナル画像生成機能「有」、オブリーク画像生成機能「無」の行を参照する。
【０１４４】
さらに、図１０では、たとえば、「ＰＡＣＳ３」には、コロナル画像生成機能もオブリーク画像生成機能も備えていない「Ｖｉｅｗｅｒ３（不図示）」が接続されていることを示す。そのため、出力情報特定部４１２は、図６におけるステップＳ６１２にて、制御装置１０７から「ＰＡＣＳ３」に出力する画像情報を特定する場合は、図１０の「ＰＡＣＳ３」の行を参照する。そして、出力情報特定部４１２は、図１０の内容に基づき、図９のコロナル画像生成機能「無」、オブリーク画像生成機能「無」の行を参照する。
【０１４５】
［出力条件設定処理］
図１１は、図８及び図９に例示した出力条件を設定する処理の一例を示すフローチャートである。
【０１４６】
ステップＳ１１０１において、出力条件設定部４０７は出力条件を作成する。ここでは、図８及び図９に例示した出力条件の項目を作成することとする。ユーザの操作入力に基づいて出力条件の項目を作成してもよいし、図１０及び図１３に例示した機能情報の項目に基づいて自動的に生成してもよい。別の例では、外部装置が有する機能と出力条件との対応関係を予め設定しておいてもよい。これにより、新しく制御装置１０７と接続された外部装置より、実行可能な処理を示す情報を機能情報取得部４１０が取得すると、予め定められた設定に基づいて自動的に出力条件を作成することができる。
【０１４７】
ステップＳ１１０２において、出力条件設定部４０７は作成した出力条件を出力条件保存部４０３へ保存する。
【０１４８】
図１１に示す出力条件の設定処理は、たとえば制御装置１０７を設置する際に行われる。また、新しく外部装置が制御装置１０７に接続される際に行われる。別の例では、制御装置１０７を起動する際に、出力条件設定処理を実行しても良い。また別の例では、制御装置１０７を稼働中に、例えば検査開始や画像出力などの所定のタイミングで出力条件設定処理を実行しても良い。
【０１４９】
［機能情報設定処理］
図１２は、図１０に例示した外部装置の機能情報を設定する処理の一例を示すフローチャートである。
【０１５０】
ステップＳ１２０１において、機能情報取得部４１０はある外部装置についての機能情報を作成する。まず、機能情報取得部４１０は、外部装置４１４から図１３に例示するような、当該外部装置において実行可能な処理の情報を取得する。外部装置から取得した、実行可能な処理のリストに基づいて機能情報取得部４１０は当該外部装置について、図１０に例示するような機能情報を作成する。別の例では、機能情報取得部４１０は表示制御部４０９を介して表示部１０９に、ある外部装置についての機能情報を入力するための画面を表示させる。機能情報取得部４１０は、当該画面に従ってユーザが入力した情報に基づいて、当該外部装置についての機能情報を作成する。
【０１５１】
ステップ１２０２において、機能情報取得部４１０は、出力条件保存部４０３にステップＳ１２０１で作成した機能情報を登録する。
【０１５２】
図１２に示す機能情報の設定処理は、たとえば制御装置１０７を設置する際に行われる。また、新しく外部装置が制御装置１０７に接続される際に行われる。別の例では、制御装置１０７を起動する際に、機能情報設定処理を実行しても良い。また別の例では、制御装置１０７を稼働中に、例えば検査開始や画像出力などの所定のタイミングで機能情報設定処理を実行しても良い。
【０１５３】
［出力情報特定処理］
図６に示すステップＳ６１２において実行される出力情報の特定処理を、図８に例示した出力条件に基づいて説明する。
【０１５４】
たとえば、図６に示すステップＳ６１２にて、図８に示す「ＰＡＣＳ１」にトモシンセシス撮影において得られる情報を出力する場合について説明する。出力情報特定部４１２は、出力条件保存部４０３から「ＰＡＣＳ１」に対応する出力条件を取得する。図８によれば、「ＰＡＣＳ１」は投影画像と、付帯情報として撮影情報とオブリーク画像の有効範囲の出力が必要である。また、「ＰＡＣＳ１」は冠状面画像やオブリーク画像、付帯情報としては再構成情報の出力が不要である。これらは「ＰＡＣＳ１」及び
「ＰＡＣＳ１」に接続されているＶｉｅｗｅｒで実行可能な処理、特に実行可能な画像処理に応じて設定された条件である。したがって、出力情報特定部４１２はステップＳ６１１までに得られた投影画像と、位置情報などの撮影情報とオブリーク画像の有効角度を出力情報として特定する。
【０１５５】
別の例として、図６に示すステップＳ６１２にて、図８に示す「ＰＡＣＳ２」にトモシンセシス撮影において得られる情報を出力する場合について説明する。出力情報特定部４１２は、出力条件保存部４０３から「ＰＡＣＳ２」に対応する出力条件を取得する。図８によれば、「ＰＡＣＳ２」は投影画像と、オブリーク画像と、付帯情報として撮影情報の出力が必要である。また、「ＰＡＣＳ２」はコロナル画像と、付帯情報としてはオブリーク画像の有効範囲と再構成情報の出力が不要である。これらは、「ＰＡＣＳ２」及び「ＰＡＣＳ２」に接続されているＶｉｅｗｅｒで実行可能な処理、特に実行可能な画像処理に応じて設定された条件である。したがって、出力情報特定部４１２は、投影画像と、オブリーク画像と、付帯情報として位置情報などの撮影情報を出力情報として特定する。
【０１５６】
さらに別の例として、図６に示すステップＳ６１２にて、図８に示す「ＰＡＣＳ３」にトモシンセシス撮影において得られる情報を出力する場合について説明する。出力情報特定部４１２は、出力条件保存部４０３から「ＰＡＣＳ３」に対応する出力条件を取得する。図８によれば、「ＰＡＣＳ３」はコロナル画像と、オブリーク画像と、付帯情報として再構成情報の出力が必要である。また、「ＰＡＣＳ３」は投影画像と、付帯情報としては撮影情報とオブリーク画像の有効範囲の出力が不要である。これらは、「ＰＡＣＳ３」及び「ＰＡＣＳ３」に接続されているＶｉｅｗｅｒで実行可能な処理、特に実行可能な画像処理に応じて設定された条件である。したがって、出力情報特定部４１２は、コロナル画像と、オブリーク画像と、付帯情報として再構成情報を出力情報として特定する。
【０１５７】
続いて、図９に示す出力条件と、図１０に示す外部装置に機能情報に基づいて、図６に示すステップＳ６１２において出力情報を特定する処理の一例を示す。
【０１５８】
図６に示すステップＳ６１２にて、図１０に示す「ＰＡＣＳ１」にトモシンセシス撮影において得られる情報を出力する場合について説明する。出力情報特定部４１２は、出力条件保存部４０３から図１０に示す「ＰＡＣＳ１」の機能情報を取得する。図１０によれば、「ＰＡＣＳ１」はコロナル画像生成処理と、オブリーク画像生成処理を実行可能である。さらに、出力情報特定部４１２は、出力条件保存部４０３から図９に示す出力条件を取得する。図９によれば、コロナル画像生成機能「有」、オブリーク画像生成機能「有」の外部装置に対しては、投影画像と、付帯情報として位置情報などの撮影情報と、オブリーク画像の有効角度を出力することが必要である。したがって、出力情報特定部４１２は「ＰＡＣＳ１」に対して、投影画像と、付帯情報として撮影情報とオブリーク画像の有効角度とを出力情報として特定する。
【０１５９】
別の例として、図６に示すステップＳ６１２にて、図１０に示す「ＰＡＣＳ２」にトモシンセシス撮影において得られる情報を出力する場合について説明する。出力情報特定部４１２は、出力条件保存部４０３から図１０に示す「ＰＡＣＳ２」の機能情報を取得する。図１０によれば、「ＰＡＣＳ２」はコロナル画像生成処理を実行可能であり、オブリーク画像生成処理を実行不可能である。さらに、出力情報特定部４１２は、出力条件保存部４０３から図９に示す出力条件を取得する。図９によれば、コロナル画像生成機能「有」、オブリーク画像生成機能「無」の外部装置に対しては、投影画像と、オブリーク画像と、付帯情報として位置情報などの撮影情報を出力することが必要である。したがって、出力情報特定部４１２は「ＰＡＣＳ２」に対して、投影画像と、付帯情報として撮影情報とオブリーク画像の有効角度とを出力情報として特定する。
【０１６０】
さらに別の例として、図６に示すステップＳ６１２にて、図１０に示す「ＰＡＣＳ３」にトモシンセシス撮影において得られる情報を出力する場合について説明する。出力情報特定部４１２は、出力条件保存部４０３から図１０に示す「ＰＡＣＳ３」の機能情報を取得する。図１０によれば、「ＰＡＣＳ３」はコロナル画像生成処理と、オブリーク画像生成処理のいずれも実行不可能である。さらに、出力情報特定部４１２は、出力条件保存部４０３から図９に示す出力条件を取得する。図９によれば、コロナル画像生成機能「無」、オブリーク画像生成機能「無」の外部装置に対しては、コロナル画像と、オブリーク画像と、付帯情報として再構成情報を出力することが必要である。したがって、出力情報特定部４１２は「ＰＡＣＳ３」に対して、コロナル画像と、オブリーク画像と、付帯情報として再構成情報とを出力情報として特定する。
【０１６１】
以上のように、本実施形態によれば、制御装置１０７から外部装置４１４にトモシンセシス画像情報を送信する際に、出力対象となる外部装置の機能情報に応じて、外部装置４１４において必要な情報を出力することができる。これにより、不要な情報を出力することによって発生し得る、外部装置４１４における記憶容量の不足や、ネットワークスループットの低下、処理速度の遅延といった不都合を回避することが出来る。
【０１６２】
［変形例］
上述の例では、図８から図１０に例示する情報に基づいて外部装置に対する出力情報を特定し、特定された情報を外部装置に出力する実施形態を示した。図６に示すステップＳ６１２において特定された情報の一覧を、表示制御部４０９は表示部１０９に表示させ、ユーザに出力する情報として過不足があるかを判定させるようにしてもよい。すなわち、表示制御部４０９は外部装置に出力される情報を表示部に表示させ、ユーザに出力の要否を選択させるためのインタフェースを提供するインタフェース手段の一例として機能する。ユーザにより出力不要と判定された情報については、制御装置１０７は外部装置に出力しないこととする。これにより、ネットワーク１１３への負荷を低減させる処理を推奨しつつ、ユーザのワークフローに好適な情報を出力することができる。
【０１６３】
上述の例では、図６におけるステップＳ６０９およびステップ６１０にて、投影画像から再構成処理を行う実施形態を示したが、本発明はこれに限らない。たとえば、図１０で例示した外部装置の再構成機能情報に応じて、ステップＳ６０９およびステップ６１０の処理をスキップしても良い。図１０を用いて説明する。送信先の外部装置「ＰＡＣＳ１」である場合、図１０に示す通り、「ＰＡＣＳ１」はコロナル画像生成機能とオブリーク画像生成機能を備えるため、必ずしも制御装置１０７において再構成処理を行う必要はない。すなわち、ステップＳ６０９およびステップＳ６１０の処理をスキップし、ステップＳ６０８からステップＳ６１１へ遷移しても良い。これにより、本実施形態によれば、制御装置１０７における不要な処理を省略し、処理効率を向上することが出来る。
【０１６４】
上述の例では、トモシンセシス撮影において得られる情報のうち外部装置に出力する情報を選択する例について示したが、本発明はこれに限らない。たとえば制御装置１０７は、事前に取得した外部装置の機能情報に基づいて、トモシンセシス画像の生成に係る処理を変更するようにしてもよい。その場合、外部装置において実行可能な画像処理によって取得可能な医用画像を制御装置１０７は生成しない。たとえば、ＰＡＣＳ１１５において再構成処理が実行可能な場合には、制御装置１０７は再構成処理を行わないこととする。これにより、制御装置１０７において行われる処理による負荷を低減することができる。
【０１６５】
上述の例では、Ｘ線撮影システムの実施形態を示したが、これに限らず、トモシンセシス撮影あるいは断層撮影が可能なＭＲＩ，ＰＥＴ，ＳＰＥＣＴ等の撮像装置あるいはこれらの画像を扱う画像管理装置や画像処理装置で本発明を実現することとしてもよい。
【０１６６】
上述の例では、制御装置１０７は、ネットワークを介してＰＡＣＳ１１５に画像情報を出力し、Ｖｉｅｗｅｒ１１６はネットワークを介してＰＡＣＳから画像情報を取得するＸ線撮影システムを示した。制御装置１０７がネットワークを介してＶｉｅｗｅｒ１１６に画像情報を出力することとしてもよい。
【０１６７】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（たとえば、ＡＳＩＣ）によっても実現可能である。
【０１６８】
上述の各実施形態における医療情報処理装置は、単体の装置として実現してもよいし、複数の装置を互いに通信可能に組合せて上述の処理を実行する形態としてもよく、いずれも本発明の実施形態に含まれる。共通のサーバ装置あるいはサーバ群で、上述の処理を実行することとしてもよい。医療情報処理装置および医療情報処理システムを構成する複数の装置は所定の通信レートで通信可能であればよく、また同一の施設内あるいは同一の国に存在することを要しない。
【０１６９】
本発明の実施形態には、前述した実施形態の機能を実現するソフトウェアのプログラムを、システムあるいは装置に供給し、そのシステムあるいは装置のコンピュータが該供給されたプログラムのコードを読みだして実行するという形態を含む。
【０１７０】
したがって、実施形態に係る処理をコンピュータで実現するために、該コンピュータにインストールされるプログラムコード自体も本発明の実施形態の一つである。また、コンピュータが読みだしたプログラムに含まれる指示に基づき、コンピュータで稼働しているＯＳなどが、実際の処理の一部又は全部を行い、その処理によっても前述した実施形態の機能が実現され得る。
【０１７１】
上述の実施形態を適宜組み合わせた形態も、本発明の実施形態に含まれる。
【図１】
2017108853.tif 000003
【図２】
2017108853.tif 000004
【図３】
2017108853.tif 000005
【図４】
2017108853.tif 000006
【図５】
2017108853.tif 000007
【図６】
2017108853.tif 000008
【図７】
2017108853.tif 000009
【図８】
2017108853.tif 000010
【図９】
2017108853.tif 000011
【図１０】
2017108853.tif 000012
【図１１】
2017108853.tif 000013
【図１２】
2017108853.tif 000014
【図１３】
2017108853.tif 000015